(57)【特許請求の範囲】
【請求項１】
一端側に固定継手部を有する伸縮継手本体に係合し、且つ、伸縮継手本体の他端側に摺動自在に嵌装された摺動継手部に係合して摺動継手部の位置決めを行う係合片と、
伸縮継手本体の前側斜め下方から視認できる視認部とを有する軒樋伸縮継手の位置決め具であって、
上記視認部が、伸縮継手本体の耳部上面よりも上側に突出した起立片であり、
上記係合片の両側面に凸状体が形成されていることを特徴とする軒樋伸縮継手の位置決め具。
【請求項２】
上記視認部の色が、伸縮継手本体の前面の色と異なることを特徴とする請求項１に記載の軒樋伸縮継手の位置決め具。
【請求項３】
一端側に固定継手部を有する伸縮継手本体に係合し、且つ、伸縮継手本体の他端側に摺動自在に嵌装された摺動継手部に係合して摺動継手部の位置決めを行う係合片と、
伸縮継手本体の前側斜め下方から視認できる視認部とを有する軒樋伸縮継手の位置決め具であって、
上記視認部が、伸縮継手本体の耳部前面よりも前側で耳部上面よりも下側に突出した下降片で、その色が伸縮継手本体の前面の色と異なるものであり、
上記係合片の両側面に凸状体が形成されていることを特徴とする軒樋伸縮継手の位置決め具。
【発明の詳細な説明】
【技術分野】
【０００１】
本発明は、温度差による軒樋の伸縮を吸収できる軒樋伸縮継手の位置決め具に関し、詳しくは、施工後の取り忘れ防止機能を有する軒樋伸縮継手の位置決め具に関するものである。
【背景技術】
【０００２】
軒樋は寒暖による温度差によって伸縮するため、従来より、その伸縮を吸収する軒樋継手が多数提案されている。このような軒樋継手は、断面が略コ字状に形成された継手本体と、その継手本体の長手方向に対して摺動自在に接続される断面が略コ字状に形成された摺動体とで構成されたものが多い。
【０００３】
一般的に軒樋継手は、摺動体が継手本体に対して摺動自在であるため、輸送時に継手本体に対して摺動体が摺動してしまい、破損する恐れが生じると共に輸送効率を低下させてしまうという問題があった。また、予め温度差による軒樋の伸縮を計算した適切な位置で軒樋と軒樋を接続することが望まれるので、軒樋同士の接続作業時に摺動体が摺動してしまうと施工性が低下して好ましくない。
【０００４】
上記の問題に対処するため、継手本体と摺動体の互いに面接触する部位に丸孔と長孔をそれぞれ設けて、先端に係合部を有する略コ字状の摺動抑制体を丸孔と長孔にそれぞれ挿通することで、継手本体と摺動体を固定することができる軒樋継手の摺動抑制体が提案された（特許文献１）。
【０００５】
上記特許文献１の軒樋継手の摺動抑制体は、その摺動抑制体を丸孔と長孔に挿通すると、継手本体と摺動体が連通固定されるので、輸送時における摺動体の摺動が抑制され、軒樋の伸縮を考慮した適切な位置で継手本体と摺動体を固定して、軒樋同士の接続作業を行うことができるものであった。
【先行技術文献】
【特許文献】
【０００６】
【特許文献１】特開平０８−２８４３３７号公報
【発明の概要】
【発明が解決しようとする課題】
【０００７】
しかしながら、上記特許文献１の軒樋継手の摺動抑制体は、軒樋同士の接続作業後、その摺動抑制体を継手本体と摺動体の丸孔と長孔から取り外すのを忘れてしまうことが多かった。即ち、この摺動抑制体を継手本体と摺動体の丸孔と長孔に挿通すると、略コ字状の摺動抑制体の大半は丸孔と長孔に挿入されて隠れて軒樋継手と一体化してしまい、特に、接続作業の最終確認をする軒樋継手の前側斜め下方からでは視認できないため、摺動抑制体の取り忘れに気づきにくく、せっかくの伸縮機能を有する軒樋継手が、その機能を果たさないという問題があった。
【０００８】
本発明は上記の問題に鑑みてなされたもので、その解決しようとする課題は、軒樋伸縮継手の輸送時の摺動継手部の摺動と、軒樋の接続作業時の摺動継手部の位置ずれを防止し、加えて接続作業後の取り忘れを防止することのできる軒樋伸縮継手の位置決め具を提供することにある。
【課題を解決するための手段】
【０００９】
上記目的を達成するため、本発明に係る軒樋伸縮継手の位置決め具は、一端側に固定継手部を有する伸縮継手本体に係合し、且つ、伸縮継手本体の他端側に摺動自在に嵌装された摺動継手部に係合して摺動継手部の位置決めを行う係合片と、伸縮継手本体の前側斜め下方から視認できる視認部とを有する軒樋伸縮継手の位置決め具であって、上記視認部が、伸縮継手本体の耳部上面よりも上側に突出した起立片であり、上記係合片の両側面に凸状体が形成されていることを特徴とするものである。
【００１０】
本発明の軒樋伸縮継手の位置決め具においては、上記視認部の色が、伸縮継手本体の前面の色と異なることが極めて好ましい。また、本発明の第二の軒樋伸縮継手の位置決め具は、一端側に固定継手部を有する伸縮継手本体に係合し、且つ、伸縮継手本体の他端側に摺動自在に嵌装された摺動継手部に係合して摺動継手部の位置決めを行う係合片と、伸縮継手本体の前側斜め下方から視認できる視認部とを有する軒樋伸縮継手の位置決め具であって、上記視認部が、伸縮継手本体の耳部前面よりも前側で耳部上面よりも下側に突出した下降片で、その色が伸縮継手本体の前面の色と異なるものであり、上記係合片の両側面に凸状体が形成されていることを特徴とする。
【発明の効果】
【００１１】
本発明の軒樋伸縮継手の位置決め具は、伸縮継手本体と、その伸縮継手本体に摺動自在に嵌装された摺動継手部の双方に係合する係合片を有するので、その係合片を伸縮継手本体と摺動継手部に係合させることで、軒樋伸縮継手の輸送時の摺動継手部の摺動を防止することができる。また、摺動継手部が伸縮継手本体に対して摺動して位置ずれしてしまうことがないので、予め温度差による軒樋の伸縮を計算した適切な位置で軒樋と軒樋の接続作業を行うことができる。しかも、この軒樋伸縮継手の位置決め具は、伸縮継手本体の前側斜め下方から視認できる、伸縮継手本体の耳部上面よりも上側に突出した起立片である視認部を有するので、軒樋同士の接続作業を終えて、作業の最終確認をする伸縮継手本体の前側斜め下方からでも位置決め具の存在を確認でき、位置決め具を取り忘れてしまう心配もない。従って、軒樋伸縮継手の機能を損なうことがなく、軒樋が温度差によって伸縮したとしても、不具合を生じることはない。
【００１２】
特に、上記視認部の色が、伸縮継手本体の前面の色と異なる軒樋伸縮継手の位置決め具のように、視認部の色と伸縮継手本体の前面の色が異なれば、一目で視認部を認識することができるので極めて好ましい。
尚、ここでいう色が異なるとは、同系色であっても、光沢の違いによって２つ（視認部の色と伸縮継手本体の前面の色）を異なる色と識別できるものを含む意味である。
【００１４】
また、本発明の第二の軒樋伸縮継手の位置決め具も、伸縮継手本体の前側斜め下方から視認部を十分確認することができるので、このような視認部が、伸縮継手本体の耳部前面よりも前側で耳部上面よりも下側に突出した下降片である軒樋伸縮継手の位置決め具も上記と同様の作用効果を奏する。
【図面の簡単な説明】
【００１６】
【図１】本発明の一実施形態に係る軒樋伸縮継手の位置決め具を示す斜視図である。
【図２】同位置決め具で軒樋伸縮継手を位置決めしたときの状態を示す斜視図である。
【図３】同位置決め具で軒樋伸縮継手を位置決めしたときの状態を示す正面図（屋外側から軒樋伸縮継手を見た正面図）である。
【図４】同位置決め具で軒樋伸縮継手を位置決めしたときの状態を示す部分側面図である。
【図５】軒樋伸縮継手の分解斜視図である。
【図６】同伸縮継手の組立てを説明する説明図である。
【図７】同伸縮継手を位置決め具で位置決めするのを説明する部分斜視図である。
【図８】同位置決め具の別の使用方法を示す説明図である。
【図９】図８に示す同位置決め具の別の使用方法の施工例を示す概略図である。
【図１０】本発明の参考形態に係る軒樋伸縮継手の位置決め具の使用状態を示す部分側面図である。
【図１１】本発明の他の実施形態に係る軒樋伸縮継手の位置決め具の使用状態を示す部分側面図である。
【図１２】本発明の更に他の実施形態に係る軒樋伸縮継手の位置決め具の使用状態を示す部分側面図である。
【発明を実施するための最良の形態】
【００１７】
以下、図面を参照して本発明の具体的な実施形態を詳述する。
【００１８】
図１に示す本発明の軒樋伸縮継手の位置決め具１（以下、単に位置決め具１という。）は、図５に示す軒樋伸縮継手Ｊ（以下、単に伸縮継手Ｊという。）の伸縮継手本体２（外カバー２Ａ，固定継手部２Ｂ）に対して摺動継手部３が摺動してしまうのを防止し、伸縮継手本体２と摺動継手部３を適切な位置で固定した状態で軒樋６，６の接続作業を行うことができるようにするためのもので、図１、図４に示すように、地面に対して略垂直に立設された係合片１ａと、伸縮継手本体２（外カバー２Ａ）の前側耳部２ｄの耳部前面２０ｄよりも前側で、且つ、前側耳部２ｄの耳部上面２１ｄよりも下側に突出した視認部１ｂと、係合片１ａと視認部１ｂを連結する連結片１ｃと、その連結片１ｃを後方に延伸すると共にその後端を斜め下側に突出させて形成した押圧係止片１ｄとからなる。この位置決め具１を用いずに軒樋６，６の接続作業を行うと、摺動継手部３が伸縮継手本体２に対して摺動してしまうので施工性が悪くなるばかりか、伸縮継手Ｊが最少長に縮んだ状態で施工されると、暖かくなって軒樋Ｊが伸びた時に対応できなくなるという不具合が生じる。また、伸縮継手Ｊが最大長に延びた状態で施工されると、寒くなって軒樋６が縮んだ時に対応できなくなるという不具合が生じるが、本発明の位置決め具１によって伸縮継手Ｊの摺動継手部３の摺動を抑制しながら軒樋６，６の接続作業を行うことで、軒樋６の伸縮を伸縮継手Ｊが吸収できる適切な位置で正確に接続できるようになる。
【００１９】
上記係合片１ａは、図１、図２、図４、図７に示すように、後述する伸縮継手本体２の外カバー２Ａに形成された係合突片２ｆの切欠部２ｇに係合し、且つ、その伸縮継手本体２の他端側に摺動自在に嵌装された摺動継手部３に形成された係合突片３ｍの切欠部３ｎに係合する板状片であって、この係合片１ａが伸縮継手本体２（外カバー２Ａ）と摺動継手部３に係合すると、伸縮継手本体２と摺動継手部３が固定されて摺動継手部３の動きが規制されるので、摺動継手部３が自在に伸縮継手本体２（外カバー２Ａ）の内側を摺動してしまうのが抑制されて、伸縮継手本体２と摺動継手部３を適切な位置で固定した状態で軒樋６，６の接続作業を行うことができるようなる。また、この係合片１ａの両側面には、位置決め具１を外カバー２Ａの切欠部２ｇと摺動継手部３の切欠部３ｎに係合させたときに、位置決め具１が外カバー２Ａから外れてしまうのを防止するための凸状体１ｇが形成されている。この凸状体１ｇは半球体であって、係合片１ａを外カバー２Ａの切欠部２ｇと摺動継手部３の切欠部３ｎに係合させた際に、外カバー２Ａの切欠部２ｇと摺動継手部３の切欠部３ｎの間に位置するように形成されており、位置決め具１が上方に外れてしまいそうになっても、凸状体１ｇが外カバー２Ａの切欠部２ｇの両内側面に引っ掛かるので、位置決め具１が外れてしまうことがない。従って、この凸状体１ｇを含んだ係合片１ａの幅を、後述する外カバー２Ａの切欠部２ｇ及び摺動継手部３の切欠部３ｎの切欠き幅よりも若干広く形成する必要があり、具体的には、位置決め具１の係合片１ａの幅が９．５ｍｍで、凸状体１ｇはそこから０．５ｍｍずつ外側に突出して、凸状体１ｇを含む係合片１ａの幅は１０．５ｍｍとなっている。本実施形態の外カバー２Ａの切欠部２ｇ及び摺動継手部３の切欠部３ｎの切欠き幅が１０ｍｍであるので、０．５ｍｍのオーバーラップ分がある。このオーバーラップ分が、０．２ｍｍ未満であると位置決め具１が外れてしまう恐れが生じ、反対に１．５ｍｍよりも大きいと施工後に位置決め具１を取り外しにくくなるので、０．２〜１．５ｍｍの範囲内であることが好ましく、０．３〜１．０ｍｍの範囲内であればより好ましい。このように係合片１ａに抜け防止の凸状体１ｇを形成することで、伸縮継手Ｊが輸送時や施工時に逆さまになったとしても、位置決め具１が外カバー２Ａの切欠部２ｇと摺動継手部３の切欠部３ｎから外れてしまうことがない。
尚、凸状体１ｇとしては、本実施形態のような半球体のほか、円墳形状の凸状体、四角錘や三角錐の凸状体などが挙げられるが、位置決め具１をスムーズに取り外すことができ、且つ、外れにくいというメリットを有する半球体を凸状体１ｇとするのが最も好ましい。
【００２０】
また、上記視認部１ｂは、図１、図３、図４に示すように、上記連結片１ｃの先端を伸縮継手本体２の前側耳部２ｄの耳部前面２０ｄに沿うように下方へ突出させて形成した下降片であって、本実施形態の視認部１ｂは、伸縮継手本体２の耳部前面２０ｄに重なる垂下片となっている。この視認部１ｂは、軒樋６，６の接続作業が完了したのち、位置決め具１の取り忘れを防止するために形成されたもので、軒樋６，６の接続作業を終えて、作業の最終確認をする伸縮継手本体２の前側斜め下方から視認できるようになっている。
【００２１】
従って、上記視認部１ｂは、その機能を奏するために、図４に示すように、伸縮継手本体２の前側斜め下方から見て、一目で位置決め具１の存在に気づくことが好ましいので、上記のように、伸縮継手本体２の耳部前面２０ｄに重なる垂下片とすると共に、本実施形態では、視認部１ｂの色を、伸縮継手本体２（外カバー２Ａ）の前面の色と異なる色にしている。このように、視認部１ｂの色を伸縮継手本体２（外カバー２Ａ）の前面の色と異なる色にすることで、伸縮継手本体２の前側斜め下方から一目で位置決め具１（視認部１ｂ）の存在を把握することができるようになるので、位置決め具１の取り忘れを確実に防止することができる。
尚、視認部１ｂの色のみを伸縮継手本体２（外カバー２Ａ）の前面の色と異なる色にすれば位置決め具１としての機能を奏するが、成形や費用等を鑑みて、本実施形態では、位置決め具１全体を同色にしている。
【００２２】
上記視認部１ｂの色は、伸縮継手本体２の前面側の色の補色の色相にすると、一目で位置決め具１の存在に気づき易いので好ましく、例えば、伸縮継手本体２の前面側の色が黒、茶、白、ベージュ、ダークグリーン、アイボリーの場合、位置決め具１の視認部１ｂの色を黄色、灰色、青色にするとよい。
尚、一般的に住宅用雨樋や伸縮継手等の雨樋部品として、灰色を用いることが少ないため、本実施形態の位置決め具１（視認部１ｂ）の色は灰色となっている。
【００２３】
また、上記視認部１ｂと伸縮継手本体２の前面側の色は、同系色であっても光沢の違いによって２つを異なる色と識別できるのであればその機能を奏するので、例えば、伸縮継手本体２の前面側の色が艶消しの黒（例えば、プラスチック射出成形の場合、製品に相当する金型面をシボ加工したものや、鏡面仕上げしないもの、または使用する樹脂は艶消し樹脂を使用する等が挙げられる。）であった場合、位置決め具１の視認部１ｂの色を、光沢を有する黒色にしてもよい。
【００２４】
以上のような構成の視認部１ｂを位置決め具１に形成することで、軒樋６，６の接続作業を終えて、作業の最終確認をする伸縮継手本体２の前側斜め下方から一目で位置決め具１の存在を確認できて、位置決め具１を取り忘れてしまう心配がなくなる。従って、伸縮継手Ｊの伸縮機能を損なうことがなく、軒樋６が寒暖による温度差によって伸縮したとしても、不具合を生じることはない。
【００２５】
位置決め具（視認部）は、伸縮継手本体２の前側斜め下方から視認できればよいので、上記のような視認部１ｂ（下降片）が形成された位置決め具１に限定されるものではなく、例えば、図１０に示すような視認部１０ｂが形成された位置決め具１０であってもよい。この位置決め具１０は、連結片１ｃの先端を上記視認部１ｂのように下方へ突出させずに、そのまま前方に延伸させて形成した水平片であって、このような伸縮継手本体２の前側耳部２ｄの耳部前面２０ｄよりも前側に突出した水平片を視認部１０ｂとしても、伸縮継手本体２の前側斜め下方から視認できるので、位置決め具１０としての機能を奏する。
尚、伸縮継手本体２の前面側と視認部１０ｂを異なる色にする場合は、最低限位置決め具１０の視認部１０ｂ裏面の色を伸縮継手本体２の前面側の色と異なる色にすればその機能を奏する。
【００２６】
また、図１１に示すように、連結片１ｃの先端を上方に折り曲げて、伸縮継手本体２の前側耳部２ｄの耳部上面２１ｄよりも上側に突出した起立片を視認部１１ｂとしてもよい。このような起立片である視認部１１ｂは、作業の最終確認をする伸縮継手本体２の前側斜め下方から伸縮継手本体２を見ると、伸縮継手本体２の前側耳部２ｄより視認部１１ｂが突出しているので、一目で位置決め具１１の存在を確認することができる。
【００２７】
更に、図１２に示すように、係合片１ａを上方に延伸することで、視認部１２ｂ（起立片）を形成した位置決め具１２も好適に用いられる。この場合、伸縮継手本体２の前側斜め下方から十分視認できるようにするためには、ある程度の高さが必要（伸縮継手本体２の前側耳部２ｄの視角に入らないようにするため）となる。
【００２８】
以上、種々の形態の位置決め具１，１０，１１，１２の視認部１ｂ，１０ｂ，１１ｂ，１２ｂを説明してきたが、伸縮継手本体２の前側斜め下方から一目で位置決め具１の存在を確認できるものであればこれらに限定されるものではなく、例えば、視認部が下降片であっても、伸縮継手本体２の前側耳部２ｄの耳部前面２０ｄに沿わないように傾斜した下降片でもよく、また、視認部が起立片であっても、上記のような垂直に立設された視認部１１ｂ，１２ｂではなくて、斜め上方に立設された起立片でもよい。
【００２９】
次に、上記係合片１ａと上記視認部１ｂとを連結する連結片１ｃは、図１、図４に示すように、伸縮継手本体２の前側耳部２ｄの耳部上面２１ｄに沿うようにして配置される板状片で、その上面には、円弧状のアーチ部１ｆが形成されている。このアーチ部１ｆを形成することで、軒樋６，６の接続作業が完了して位置決め具１を取り外すときに、このアーチ部１ｆの内部にドライバーやピン等を挿入し引き抜いたり、アーチ部１ｆを指で摘んで引き抜くと、簡単に位置決め具１を軒樋伸縮継手Ｊから簡単に取り外すことができるようになる。
【００３０】
また、上記押圧係止片１ｄは、図１、図４に示すように、上記連結片１ｃを後方に延伸すると共にその後端を斜め下側に突出させて形成したもので、その下端には、軒樋６の屋外側耳部６ａに係止する係止部１ｅが形成されている。この押圧係止片１ｄは、直接位置決め具１の位置決めとしての働きをするものではないが、位置決め具１が、切妻屋根９に施工した軒樋６が風等でスライドしてしまうのを防止する軒樋ストッパーとしての役割も果たすように形成されたものである。即ち、図８、図９に示すように、切妻屋根９の軒先の両端に設けられた軒樋止り７から数えて、最初の軒樋吊具８の止り側１０〜３０ｍｍ離した位置に、係合片１ａと押圧係止片１ｄが、軒樋６，６の屋外側耳部６ａに対して略垂直の位置関係になるように位置決め具１を回転させて、係合片１ａと押圧係止片１ｄの下端部に接着剤を塗布すると共に、係合片１ａと押圧係止片１ｄを矢印方向に指で押圧しながら、軒樋６の屋外側耳部６ａの隙間に挿入して指を離すことで、係合片１ａと押圧係止片１ｄの弾性力が働いて、係止部１ｅが軒樋６の屋外側耳部６ａに係止されて、位置決め具１が軒樋６に強固に固定されるので、位置決め具１が軒樋ストッパーとなる。
【００３１】
以上のような構成の位置決め具１は、塩化ビニル樹脂、ＡＡＳ（アクリルニトリル‐アクリロニトリルゴム‐スチレン）樹脂、ＡＥＳ(アクリルニトリル‐エチレンプロピレンゴム−スチレン)樹脂、ＰＣ（ポリカーボネート）樹脂等の種々の熱可塑性樹脂が好適に用いられ、本実施形態では塩化ビニル樹脂を用いて成形されているが、これらの材料に限定されるものではなく、熱硬化性樹脂製でも金属製でもよい。
【００３２】
次に、上記構成の位置決め具１で位置決めする伸縮継手Ｊについて説明する。
【００３３】
この伸縮継手Ｊは、図５、図６に示すように、外カバー２Ａとこの外カバー２Ａ内側の一端側に固定される固定継手部２Ｂからなる伸縮継手本体２と、この伸縮継手本体２内側の他端側に摺動自在に嵌装された摺動継手部３と、伸縮体４と、内カバー５とから構成されている。
【００３４】
上記外カバー２Ａは、本発明の位置決め具１と同様の、塩化ビニル樹脂、ＡＡＳ（アクリルニトリル‐アクリロニトリルゴム‐スチレン）樹脂、ＡＥＳ(アクリルニトリル‐エチレンプロピレンゴム-スチレン)樹脂、ＡＳ（アクリル‐スチレン）樹脂、ＰＣ（ポリカーボネート）樹脂などの熱可塑性樹脂で成形されたものであって、図５、図６に示すように、底壁部２ａから立ち上がる前壁部２ｂの上端と後壁部２ｃの上端には、一端側の軒樋６の屋外側耳部６ａを押さえる固定継手部２Ｂの前側耳押さえ部２ｒと他端側の軒樋６の屋外側耳部６ａを押さえる摺動継手部３の屋外側耳押さえ部３ｇとを共に押さえる略コ字形の前側耳部２ｄと、一端側の軒樋６の屋内側耳部６ｂを押さえる固定継手部２Ｂの後側耳押さえ部２ｓと他端側の軒樋６の屋内側耳部６ｂを押さえる摺動継手部３の屋内側耳押さえ部３ｈとを共に押さえる略Ｌ字形の後側耳部２ｅが形成されている。そして、前壁部２ｂの上端の前側耳部２ｄから後壁部２ｃに向けて係合突片２ｆが突設されており、その係合突片２ｆには、前述した位置決め具１の係合片１ａと係合する凸型に切り欠かれた切欠部２ｇが形成されている。
尚、前述した位置決め具１の存在を一目で確認できるようにするため、この外カバー２Ａの色は、位置決め具１の色と異なる色になっている。
【００３５】
図５、図６に示すように、上記外カバー２Ａは、後述する摺動継手部３と固定継手部２Ｂの形状に対応するように、前壁部２ｂが少し前側へ湾曲傾斜して後側壁２ｃよりも高く形成されており、前壁部２ｂの途中には段部２ｈが形成されている。また、外カバー２Ａの底壁部１ａの内面（上面）の一端側には２つの凸部２ｉ，２ｉが形成されていると共に、他端側には２本の突起２ｊ，２ｊが形成されている。
【００３６】
上記固定継手部２Ｂと上記摺動継手部３はいずれも、外カバー２Ａと同様の熱可塑性樹脂で成形されたものであって、図５に示すように、一端側の固定継手部２Ｂは、軒樋接続部２ｋに短い略Ｕ字状の溝型部２ｍが一体成形されており、他端側の摺動継手部３は、軒樋接続部３ａに長い略Ｕ字状の溝型部３ｂが一体成形されている。
【００３７】
上記固定継手部２Ｂの軒樋接続部２ｋは、図５に示すように、底壁部２ｎから立ち上がる前壁部２ｏが少し前側へ湾曲傾斜して後壁部２ｐよりも高く形成され、その途中に段部２ｑが設けられると共に、この前壁部２ｏの上端には、軒樋６の屋外側耳部６ａを押さえる前側耳押さえ部２ｒが形成されており、後壁部２ｐの上端には、軒樋６の屋内側耳部６ｂを押さえる後側耳押さえ部２ｓが形成されている。そして、この軒樋接続部２ｋの内側には、軒樋６の内面を押さえる押さえ板２ｔが設けられている。
【００３８】
また、この軒樋接続部２ｋに一体成形された短い略Ｕ字状溝型部２ｍの内面には、図５に示すように、伸縮体４の端部の二条の凸リブを嵌着するための二条の細溝２ｕ，２ｕと、内カバー５の取付用フランジ部を嵌合するための嵌合溝２ｖが設けられており、この嵌合溝２ｖの溝側壁部は細溝２ｕ，２ｕの溝側壁部よりも一段高く形成されている。
【００３９】
図５に示すように、軒樋接続部２ｋと略Ｕ字状溝側壁部２ｍの間の外面は凹設され、係合溝２ｗが形成されている。そして、この係合溝２ｗの内部に前述した外カバー２Ａ内面の凸部２ｉ，２ｉが突入されて、外カバー２Ａと固定継手部２Ｂは固定されて一体化される。
【００４０】
次に、摺動継手部３の軒樋接続部３ａは、図５に示すように、軒樋６の形状に対応するように、底壁部３ｃから立ち上がる前壁部３ｄが少し前側へ湾曲傾斜して後壁部３ｅよりも高く形成され、その途中に段部３ｆが設けられると共に、この前壁部３ｄの上端には、軒樋６の屋外側耳部６ａを押さえる屋外側耳押さえ部３ｇが形成されており、後壁部３ｅの上端には、軒樋６の屋内側耳部６ｂを押さえる屋内側耳押さえ部３ｈが形成されている。この前壁部３ｄの上端の屋外側耳押さえ部３ｇであって、上記外カバー２Ａの係合突片２ｆの真下の位置には、係合突片３ｍが突設されており、その係合突片３ｍにも、前述した位置決め具１の係合片１ａと係合する凸型に切り欠かれた切欠部３ｎが形成されている。また、この軒樋接続部３ａの内側には軒樋６の内面を押さえる押さえ板３ｉが設けられている。従って、軒樋６の端部が軒樋接続部３ａと内側の押さえ板３ｉとの隙間部分に差し込まれ、図２に示すように、軒樋６の前後の耳部６ａ，６ｂが耳押さえ部３ｇ，３ｈに押さえられて、軒樋６が摺動継手部３に接続されるようになっている。
【００４１】
上記摺動継手部３の略Ｕ字状溝型部３ｂの先端内面には、伸縮体４の端部の二条の凸リブ４ｂ，４ｂを嵌着するための二条の細溝３ｊ，３ｊが形成されており、この細溝３ｊ，３ｊの軒樋接続部３ａ側の溝側壁部３ｋは一段高く形成されて、軒樋６が縮んで摺動継手部３が摺動しても、内カバー５のフランジ部５ｂがこの溝側壁部３ｋに当接し、内カバー５が外れてしまうことがないようになっている。
【００４２】
次に、上記固定継手部２Ｂと上記摺動継手部３を連結する伸縮体４は、図５に示すように、全体がＵ字状に形成された合成ゴム等からなる伸縮自在な水密性の蛇腹体であって、この伸縮体４の両端部外面には二条の凸リブ４ａ，４ａ，４ｂ，４ｂがそれぞれ形成されている。そして、この伸縮体４は、両端部外面の凸リブ４ａ，４ａ，４ｂ，４ｂが固定継手部２Ｂと摺動継手部３の上記細溝２ｕ，２ｕ，３ｊ，３ｊに嵌着することによって固定継手部２Ｂと摺動継手部３に取付けられ、この伸縮体４を介して固定継手部２Ｂと摺動継手部３が水密的に連結されている。このように、固定継手部２Ｂと摺動継手部３が水密性の伸縮体４によって連結することで、漏水の心配がなくなる。
【００４３】
また、上記伸縮体４を被覆保護する内カバー５は、上記の外カバー２Ａと同様の熱可塑性樹脂からなるもので、図５に示すように、前壁部が後壁部よりも高い略Ｕ字状に成形されており、この内カバー５の外面の両端にはフランジ部５ａ，５ｂがそれぞれ形成されている。
【００４４】
この内カバー５は、一端のフランジ部５ａを固定継手部２Ｂの嵌合溝２ｖに嵌合して取付けられ、固定継手部２Ｂの一部となっている。そして、この内カバー５の他端のフランジ部５ｂは、摺動継手部３の略Ｕ字状溝型部３ｂの内底面に嵌合して取付けられている。この内カバー５で上記伸縮体４を被覆保護することで、上記伸縮体４が直射日光を受けて劣化したり、ゴミが溜まったりする心配もなくなる。
【００４５】
以上のような構成の伸縮継手本体２（外カバー２Ａ，固定継手部２Ｂ）、摺動継手部３、伸縮体４、内カバー５は工場内で組立てられて、本発明の位置決め具１で位置決めしたのち、施工現場に輸送される。
【００４６】
この伸縮継手Ｊの組立ては、図６に示すように、まず、伸縮体４の一端側の凸リブ４ａ，４ａを固定継手部２Ｂの細溝２ｕ，２ｕに嵌着すると共に、伸縮体４の他端側の凸リブ４ｂ，４ｂを摺動継手部３の細溝３ｊ，３ｊに嵌着して、固定継手部２Ｂと摺動継手部３を連結する。伸縮体４による固定継手部２Ｂ、摺動継手部３の連結は、伸縮体４の凸リブ４ａ，４ａ，４ｂ，４ｂと固定継手部２Ｂの細溝２ｕ，２ｕと摺動継手部３の細溝３ｊ，３ｊに接着剤を塗布したのちに行われる。そして、内カバー５の一端側のフランジ部５ａを固定継手部２Ｂの嵌合溝２ｖに嵌合させ、内カバー５の他端側のフランジ部５ｂを摺動継手部３の内側（溝側壁部３ｋより他端側の軒樋６側）に嵌装し、固定継手部２Ｂ、摺動継手部３、伸縮体４、内カバー５を一体化したのち、外カバー２Ａ内面の凸部２ｉ，２ｉを固定継手部２Ｂの係合溝２ｗの内部に突入し、外カバー２Ａの一端側内面に固定継手部２Ｂを固定すると共に、外カバー２Ａの底壁部２ａ，前壁部２ｂ，後壁部２ｃの内面に、摺動継手部３の底壁部３ｃ，前壁部３ｄ，後壁部３ｅの外面を沿わせながら、外カバー２Ａの前側耳部２ｄ，後側耳部２ｅの内部に、摺動継手部３の屋外側耳押さえ部３ｇ，屋内側耳押さえ部３ｆを挿入することで、外カバー２Ａの他端側に摺動継手部３を摺動自在に嵌装する。このような手順で組立てられた伸縮継手Ｊは、摺動継手部３が、外カバー２Ａの突起２ｊ，２ｊに当接するまでは自在に摺動することができるので、軒樋６が伸縮したとしても十分吸収することができる。
【００４７】
上記状態の伸縮継手Ｊは、摺動継手部３が伸縮継手本体２に対して摺動自在であるため、軒樋６，６の接続作業時に、摺動継手部３が摺動して適切な位置での位置決めが難しくなるため施工性が悪い。そこで、本発明の位置決め具１によって、摺動継手部３を適切な位置で位置決めして固定してしまう。
【００４８】
即ち、上記のように伸縮継手Ｊが組立てられた状態で、図７に示すように、位置決め具１の係合片１ａを、外カバー２Ａの前側耳部２ｄに形成された係合突片２ｆの切欠部２ｇと、摺動継手部３の屋外側耳押さえ部３ｇの係合突片３ｍの切欠部３ｎに挿入する。そして、位置決め具１の視認部１ｂを外カバー２Ａの前側耳部２ｄの耳部前面２０ｄに沿わせると共に、連結片１ｃを前側耳部２ｄの耳部上面２１ｄに沿わせることで、位置決め具１の係合片１ａが切欠部２ｇ，３ｎと係合し、伸縮継手本体２と摺動継手部３が固定され、摺動継手部３が伸縮継手本体２に対して適正な位置に位置決めされる。
【００４９】
上記のように位置決め具１で位置決めされた伸縮継手Ｊは、工場から出荷されて軒樋６と軒樋６を接続作業をする施工現場まで輸送される。このとき位置決め具１によって伸縮継手本体２と摺動継手部３はしっかりと固定されているので、輸送時に伸縮継手本体２に対して摺動継手部３が摺動してしまう心配がない。また、位置決め具１の係合片１ａの両側面には凸状体１ｇが形成されているので、位置決め具１が伸縮継手Ｊから外れてしまう心配もない。
【００５０】
軒樋６，６の接続作業は、図２に示すように、一方の軒樋６の屋外側耳部６ａと屋内側耳部６ｂを、固定継手部２Ｂの前側耳押さえ部２ｒ，後側耳押さえ部２ｓの内部に挿入しながら、軒樋６の端部を固定継手部２Ｂの軒樋接続部２ｋと内側の押さえ板２ｔとの隙間部分に差し込む。また、もう一方の軒樋６の屋外側耳部６ａと屋内側耳部６ｂを、摺動継手部３の屋外側耳押さえ部３ｇ，屋内側耳押さえ部３ｈの内部に挿入しながら、軒樋６の端部を軒樋接続部３ａと内側の押さえ板３ｉとの隙間部分に差し込むと、軒樋６の前後の屋外側耳部６ａ，屋内側耳部６ｂが屋外側耳押さえ部３ｇ，屋内側耳押さえ部３ｈに押さえられて、軒樋６が摺動継手部３に接続される。このように、本発明の位置決め具１を用いて適切な位置で位置決めしながら軒樋６，６の接続作業を行うことができるので、接続作業が容易となる。
【００５１】
上記のように軒樋６，６の接続作業が完了すると、位置決め具１のアーチ部１ｆを上方に引っ張ることで、外カバー２Ａと摺動継手部３から位置決め具１を取り外す。このとき、本発明の位置決め具１は、伸縮継手本体２の前側斜め下方から視認できる視認部１ｂを有し、しかも、視認部１ｂの色と伸縮継手本体２の前面の色が異なるので、一目で位置決め具１（視認部１ｂ）の存在を認識することができて、位置決め具１を取り忘れてしまう心配がない。このように位置決め具１を取り外せば、軒樋６，６の伸縮に追従して摺動継手部３が外カバー２Ａ内を摺動し、その伸縮を吸収することができる。その場合、適正な位置に位置決めしているので、軒樋６，６の伸縮によって摺動継手部３が外カバー２Ａから外れ落ちたり固定継手部２Ｂに摺動継手部３が当たったりすることもない。
【符号の説明】
【００５２】
１，１０，１１，１２  軒樋伸縮継手の位置決め具
１ａ  係合片
１ｂ  視認部（下降片）
１０ｂ  視認部（水平片）
１１ｂ，１２ｂ  視認部（起立片）
１ｃ  連結片
１ｄ  押圧係止片
１ｅ  係止部
１ｆ  アーチ部
１ｇ  凸状体
Ｊ    軒樋伸縮継手
２    伸縮継手本体
２Ａ  外カバー
２ａ  底壁部
２ｂ  前壁部
２ｃ  後壁部
２ｄ  前側耳部
２０ｄ  耳部前面
２１ｄ  耳部上面
２ｅ  後側耳部
２ｆ  係合突片
２ｇ  切欠部
２ｈ  段部
２ｉ  凸部
２ｊ  突起
２Ｂ  固定継手部
２ｋ  軒樋接続部
２ｍ  溝型部
２ｎ  底壁部
２ｏ  前壁部
２ｐ  後壁部
２ｑ  段部
２ｒ  前側耳押さえ部
２ｓ  後側耳押さえ部
２ｔ  押さえ板
２ｕ  細溝
２ｖ  嵌合溝
２ｗ  係合溝
３    摺動継手部
３ａ  軒樋接続部
３ｂ  溝型部
３ｃ  底壁部
３ｄ  前壁部
３ｅ  後壁部
３ｆ  段部
３ｇ  屋外側耳押さえ部
３ｈ  屋内側耳押さえ部
３ｉ  押さえ板
３ｊ  細溝
３ｋ  溝側壁部
３ｍ  係合突片
３ｎ  切欠部
４    伸縮体
４ａ  凸リブ
４ｂ  凸リブ
５    内カバー
５ａ  フランジ部
５ｂ  フランジ部
６    軒樋
６ａ  屋外側耳部
６ｂ  屋内側耳部
７    軒樋止り
８    軒樋吊具
９    切妻屋根
【図１】
0005503227.tif 000002
【図２】
0005503227.tif 000003
【図３】
0005503227.tif 000004
【図４】
0005503227.tif 000005
【図５】
0005503227.tif 000006
【図６】
0005503227.tif 000007
【図７】
0005503227.tif 000008
【図８】
0005503227.tif 000009
【図９】
0005503227.tif 000010
【図１０】
0005503227.tif 000011
【図１１】
0005503227.tif 000012
【図１２】
0005503227.tif 000013